(57)【要約】【課題】  ボタンを操作する前に、次ぎに表示される画面の形態が直感的に分かること。【解決手段】おすすめメニュー表示画面の各ボタンには、選択・決定操作が行われた場合に表示される画面の形態を表すアイコンＩ１〜Ｉ３が所定の位置に表示される。【選択図】      図２
2006323544.tif 000002
【特許請求の範囲】
【請求項１】
画面上にボタンを表示するための、名称、次画面を読み出すための識別情報、および前記次画面の表示形態に対応する形態情報を含むボタン情報を受信する受信部と、
受信されたボタン情報に基づいて、前記画面上のボタンエリア内に前記名称および前記形態情報に基づいたアイコンを所定の順序で表示する画面処理制御部とを具備することを特徴とする画面処理装置。
【請求項２】
前記次画面の形態は、メニュー表示、お知らせ表示、番組リスト表示を含むグループから一つ選ばれることを特徴とする請求項１記載の画面処理装置。
【請求項３】
前記形態情報は文字コードであることを特徴とする請求項１記載の画面処理装置。
【請求項４】
前記形態情報は、イメージデータであることを特徴とする請求項１記載の画面処理装置。
【請求項５】
画面上におすすめリスト表を表示するための、推薦度を前記画面上に表示するための推薦度表示情報を含む番組情報を受信する受信部と、
前記画面上に前記おすすめリストを表示するために、前記推薦度表示情報に対応するアイコンを表示する画面処理制御部とを具備することを特徴とする画面処理装置。
【請求項６】
前記推薦度表示情報は文字コードであることを特徴とする請求項５記載の画面処理装置。
【請求項７】
前記推薦度表示情報は、イメージデータであることを特徴とする請求項５記載の画面処理装置。
【請求項８】
前記推薦情報は、前記推薦度に対応する推薦度情報を含み、
前記画面処理制御部は、前記推薦度情報に基づいて前記おすすめリストを並び替えることが可能であることを特徴とする請求項５記載の画面処理装置。
【請求項９】
画面上にボタンを表示するための、名称、次画面を読み出すための識別情報、および前記次画面の表示形態に対応する形態情報を含むボタン情報を受信するステップと、
受信されたボタン情報に基づいて、画面上のボタンエリア内に前記名称および前記形態情報に基づいたアイコンを所定の順序で表示するステップとを含むことを特徴とする画面処理方法。
【請求項１０】
前記次画面の形態は、メニュー表示、お知らせ表示、番組リスト表示を含むグループから一つ選ばれることを特徴とする請求項９記載の画面処理方法。
【請求項１１】
前記形態情報は文字コードであって、
前記文字コードに対応するフォントを前記画面上に表示することを特徴とする請求項９記載の画面処理方法。
【請求項１２】
前記形態情報は、イメージデータであって、前記イメージデータに対応するイメージを前記画面上に表示することを特徴とする請求項９記載の画面処理方法。
【請求項１３】
画面上におすすめリストを表示するために、推薦度を前記画面上に表示するための推薦度表示情報を含む番組情報を受信するステップと、
前記画面上に前記おすすめリストを表示するために、前記推薦度表示情報に対応するアイコンを表示するステップとを含むことを特徴とする画面処理方法。
【請求項１４】
前記形態情報は文字コードであって、
前記文字コードに対応するフォントを前記画面上に表示することを特徴とする請求項１３記載の画面処理方法。
【請求項１５】
前記形態情報は、イメージデータであって、前記イメージデータに対応するイメージを前記画面上に表示することを特徴とする請求項１３記載の画面処理方法。
【請求項１６】
前記推薦情報は、前記推薦度に対応する推薦度情報を含み、
前記推薦度情報に基づいて前記おすすめリストを並び替えるステップをさらに含むことを特徴とする請求項１３記載の画面処理方法。
【発明の詳細な説明】
【技術分野】
【０００１】
本発明は、多層のメニュー表示を行うための画面処理装置および画面処理方法に関する。
【背景技術】
【０００２】
放映番組の多チャンネル化に伴い、放映番組の数も増えている。そのため、ユーザが紙媒体等の番組表からユーザの好みにあう番組を探すことが困難になってきている。ユーザがキーワードを設定することによって、好みの自動的に録画する放送録画装置も製品化されている。
【０００３】
しかし、キーワードだけではユーザの指向に対応しきれない。そこで、予約履歴等をサーバに供給して、サーバがユーザにおすすめの番組の情報を提供するサービスが提案されている（特許文献１）。
【特許文献１】特開２００２−２６２２６５号公報
【発明の開示】
【発明が解決しようとする課題】
【０００４】
ところで、上述した文献によるおすすめ番組の提供サービス以外のおすすめ番組情報を複数提供することが考えられている。また、情報をジャンル別に提供し、ユーザが好みのジャンルの情報にアクセスしやすくすることも考えられる。
【０００５】
このような情報にユーザがアクセスするためには、一つのトップ画面を設けてそこからユーザが様々な情報にアクセスできるようにすることが好ましい。しかし、情報によってはジャンル分けされていたりするので、トップ画面に設けられたボタンを選択・決定操作すると、ボタンによってはジャンル別のメニューが表示されたり、直接おすすめ番組が表示されたりすることがある。ボタンに応じて次ぎに表示される画面の形態が分からないという問題があった。
【０００６】
また、上述したサービスでは、サーバが表示された番組をどの程度すすめているのかが分からなかった。
【０００７】
本発明の目的は、ボタンを選択・決定操作する前に、次ぎに表示される画面の形態が直感的に分かることが可能な画面処理装置および画面処理方法を提供することにある。
【０００８】
また、本発明の別の目的は、ユーザの予約履歴等に基づいて提供されるおすすめ番組のおすすめ度が直感的にわかり得る画面処理装置および画面処理方法を提供することにある。
【課題を解決するための手段】
【０００９】
本発明の一例に係わる画面処理装置は、画面上にボタンを表示するための、名称、次画面を読み出すための識別情報、および前記次画面の表示形態に対応する形態情報を含むボタン情報を受信する受信部と、受信されたボタン情報に基づいて、前記画面上のボタンエリア内に前記名称および前記形態情報に基づいたアイコンを所定の順序で表示する画面処理制御部とを具備することを特徴とする。
【発明の効果】
【００１０】
ボタンを選択・決定操作する前に、次ぎに表示される画面の形態が直感的に分かる。
【発明を実施するための最良の形態】
【００１１】
本発明の実施の形態を以下に図面を参照して説明する。
【００１２】
図１には、本発明の一実施形態に係るネットワークシステムの構成が示されている。このネットワークシステムは、例えば複数の画面処理装置および通信制御装置から構成されている。画面処理装置は、例えば、ＴＶ放送番組等の映像および音声信号（ＡＶ信号）をデジタル記録および再生することが可能なビデオレコーダ１０として実現されている。通信制御装置は、ビデオレコーダ１０および例えばインターネット等のネットワークに接続された複数のビデオレコーダ１０とインターネットを介して通信を実行するサーバコンピュータＳとして実現されている。
【００１３】
ビデオレコーダ１０は、図示のように、通信部１１、ＢＳ／ＣＳ（Broadcasting Satellite／Communication Satellite）チューナ部１２、地上波チューナ部１３、入力側セレクタ部１６および出力側セレクタ部１７、光ディスクドライブ部１９、ハードディスクドライブ部１８、エンコーダ部２１、デコーダ部２３、インターフェース（Ｉ／Ｆ）部２７、制御部３０、操作部３２、表示部３３、タイマーマイコン部３４、メモリ４２および表示制御部４３等を備えている。
【００１４】
通信部１１は、ビデオレコーダ１０をモデムＭを介してインターネット等のネットワークに接続するためのデバイスであり、例えばインターネットを介してサーバＳとの通信を実行する。
【００１５】
ＢＳ／ＣＳチューナ部１２は、ＢＳおよびＣＳに対応する放送番組データの受信とチャンネル選択のための選局処理とを行う放送受信部であり、ＢＳ／ＣＳ対応のアンテナに接続されている。地上波チューナ部１３は、地上波アナログ放送番組データの受信とチャンネル選択のための選局処理とを行うデバイスであり、外部のＴＶアンテナに接続されている。
【００１６】
入力側セレクタ部１６は、通信部１１から入力された信号をメモリ４２に書き込まれた、ＢＳ／ＣＳチューナ部１２および地上波チューナ部１３からそれぞれ入力される放送波およびエンコーダ部２１に送信する入力制御機能を有する。
【００１７】
また、入力側セレクタ部１６には、ＢＳ／ＣＳチューナ部１２および地上波チューナ部１３からそれぞれ重畳されて受信される複数の電子番組表が入力される。この電子番組表は、例えばＥＰＧ（Electric Program Guide）のような電子番組表である。この電子番組表は、ＴＶ番組毎の複数の放送番組情報を含んでいる。
【００１８】
入力側セレクタ部１６は、通信部１１から入力された信号をメモリ４２に書き込まれた、ＢＳ／ＣＳチューナ部１２および地上波チューナ部１３からそれぞれ入力される放送波およびエンコーダ部２１に送信する入力制御機能を有する。
【００１９】
また、入力側セレクタ部１６には、ＢＳ／ＣＳチューナ部１２および地上波チューナ部１３からそれぞれ重畳されて受信される複数の電子番組表が入力される。
【００２０】
入力側セレクタ部１６に入力された電子番組表は、制御部３０の制御の下、出力側セレクタ部１７を介して受像機４１およびインターフェース（Ｉ／Ｆ）部２７に出力される。
【００２１】
エンコーダ部２１は、制御部３０の制御の下、ＢＳ／ＣＳチューナ部１２および地上波チューナ部１３から入力されるＡＶ信号をデジタル圧縮符号化するためのエンコード処理を実行するデバイスである。このエンコード処理により、ＡＶ信号は、例えばＭＰＥＧ２またはＤＶＤビデオフォーマット等に対応した、圧縮符号化されたデジタルデータ列に変換される。エンコーダ部２１によって得られる圧縮符号化されたＡＶ信号は、デコーダ部２３に入力される。
【００２２】
ハードディスクドライブ部１８は、制御部３０の制御の下、圧縮符号化されたデジタルデータ列に変換されたＡＶ信号を記録する処理、および記録されたＡＶ信号を読み出す処理を実行するディスク記憶装置である。
【００２３】
光ディスクドライブ部１９は、ＤＶＤ−ＲＡＭ／ＤＶＤ−Ｒ等の記録型メディアＤに対するリード／ライト処理を実行する。ＤＶＤドライブは、ＤＶＤ−ＲＯＭメディアのような記録型メディアＤからのデータのリード処理も実行することができる。圧縮符号化されたデジタルデータ列に変換されたＡＶ信号は、まず、ハードディスクドライブに記録される。ハードディスクドライブ部１８に記録されたＡＶ信号は、必要に応じて、ＤＶＤ−ＲＡＭ／ＤＶＤ−Ｒ等の記録型メディアＤに記録される（ダビング）。
【００２４】
一時記憶部２０は、ハードディスクドライブ部１８および光ディスクドライブ部１９への書き込みデータまたは、ハードディスクドライブ部１８および光ディスクドライブ部１９からの読み出しデータを一時的に記録するためのバッファメモリである。
【００２５】
た、ハードディスクドライブ部１８および光ディスクドライブ部１９から読み出される圧縮符号化されたＡＶ信号は、一時記憶部２０を介してデコーダ部２３に送られる。なお、ハードディスクドライブ部と、光ディスクドライブのいずれか一方をディスクドライブとして設けてもよい。
【００２６】
デコーダ部２３は、制御部３０の制御の下、圧縮符号化されたＡＶ信号を復号するためのデコード処理を実行するデバイスである。このデコード処理によって復号されたＡＶ信号は、出力側セレクタ部１７に出力される。
【００２７】
出力側セレクタ部１７は、音声映像処理部２４から入力されたＡＶ信号または各チューナから受信された電子番組表をバスおよび出力端子を介して例えばＴＶなどの受像機４１に、またはインターフェース（Ｉ／Ｆ）部２７を介して外部に送信するための制御機能を有する。受像機４１は、本ビデオレコーダ１０に接続された電子番組表などを表示する表示画面を含む表示装置である。
【００２８】
制御部３０は、ビデオレコーダ１０の各コンポーネントの動作を制御するために設けられたメインＣＰＵ（Central Processing Unit）である。制御部３０は、電子番組表中の放送番組が、録画予約の対象の予約情報としてメモリ４２に記憶する機能も有する。
【００２９】
表示制御部４３は、電子番組表、おすすめメニュー、おすすめ番組表を表示する表示制御機能を有する。
【００３０】
サーバＳは、おすすめメニュー情報格納部５１、おすすめ番組表情報格納部５２および通信部５３と等を有している。
【００３１】
表示部３３は、ビデオレコーダ１０本体に設けられたステータス表示用の表示装置であり、例えば、現在の視聴、再生および記録対象となっているＡＶ信号のタイトル、チャネル番号、再生／記録に関する進捗状況などのステータス情報の表示に用いられる。例えば、ユーザがリモコンユニット３０１を操作することによってあるＴＶ番組の録画／再生を指示した場合には、ビデオレコーダ１によって実行される録画／再生処理の対象となるＴＶ番組のタイトル名などが表示部３３に表示される。
【００３２】
タイマーマイコン部３４は、計時用のタイマーを内蔵したマイクロコンピュータであり、操作部３２およびリモコンユニットＲそれぞれから送信される信号を処理するためのサブＣＰＵとして機能する。このタイマーマイコン部３４は、録画予約されたＴＶ番組毎にそのチャネル番号、タイトル、録画開始時間、録画終了時間等を管理する機能も有する。タイマーマイコン部３４に内蔵されたタイマーは現在日時を計時する時計モジュールとして機能する。録画予約されたそれぞれのＴＶ番組の録画開始時間または録画終了時間が到来した時、タイマーマイコン部３４はリモコンコード処理機能を有している。このリモコンコード処理機能は、リモコンユンットＲから受信したリモコンコードによって要求された動作を制御部３０と共同して実行する機能である。
【００３３】
また、リモコンユニットＲには例えば機能キーおよびテンキー等が設けられている（図示しない）。ユーザは、リモコンユニットＲのキーを操作することにより、そのキーに対応する電子番組表を表示部３３に出力するように、ビデオレコーダ１０に指示することもできる。機能キーには、例えば、ビデオレコーダ１０の電源オン・オフボタンに加え、ＡＶ信号の記録／再生動作を制御するためのボタン群（決定ボタン、戻るボタン、クイック表示ボタン、再生ボタン、停止ボタン、一時停止ボタン、記録ボタン、早送り・早戻しボタン、等）と、上述の録画予約機能等を操作するためのボタン群などが設けられている。テンキーには、数字・記号などの入力のための複数のボタンを備えており、例えばチャンネル番号の入力や、タイトル名の編集などに利用される。
【００３４】
リモコンユニットＲにおいては、上述の操作部３２の各ボタン毎に対応するキーコードが割り当てられている。あるボタンがユーザによって操作されると、そのボタンに対応するキーコードが赤外線信号等によってビデオレコーダ１０に送信される。本ビデオレコーダ１０においては、各リモコンコード毎にそれに対応して実行すべき動作が規定されている。ユーザは、リモコンユニットＲを操作することにより、例えば、ＡＶ信号の記録／再生、録画予約、録画予約一覧の表示、記録されたＡＶ信号のタイトル一覧の表示の動作の実行を、ビデオレコーダ１０に指示することができる。
【００３５】
また、リモコンユニットＲおよび操作部３２には、それぞれアルファベットキーおよび数字キーなどを備えている。これらアルファベットキーおよび数字キーのそれぞれにユーザによって指定されたキーワード（ユーザ情報）を割り当てておくこともできる。
【００３６】
（おすすめメニュー表示）
次ぎに、おすすめメニューの表示について説明する。ユーザがリモコンを操作し、“おすすめメニューの一覧”の表示を選択すると、例えば図２に示す画面が表示される。が面内には、複数のボタンエリアが設けられている。“おすすめメニューの一覧”を表示するためのデータはサーバＳのおすすめメニュー情報格納部５１からデータをダウンロードすることによって行われる。そして、その内容は常に一定とは限らず、項目の追加等によって変化する可能性がある。
【００３７】
そのため、ユーザがボタンを選択・決定操作してもどのような画面が表示されるかが分からない。そこで、各ボタンエリアの先頭部分に各項目を操作したときに表示される画面の種類に応じたアイコンＩ１〜Ｉ３が表示されている。
【００３８】
アイコンＩ１は、項目が選択された場合に、図３に示すようなメニュー表示画面が表示されることを示す。また、アイコンＩ２は項目が選択された場合、図４に示すような番組のリスト表示画面が表示されることを示す。また、アイコンＩ３は項目が選択された場合に、図５に示すようなお知らせ表示画面を表示することを示している。図５に示すお知らせは、後述するおすすめサービスを利用するか否かを選択するための画面である。ここで、登録ボタンＢ２を選択・決定操作することによって、おすすめサービスを受けることが出来る。
【００３９】
表１に、サーバから送られてくるデータ構造の一例を示す。
【表１】
2006323544.tif 000003
【００４０】
表１に示すように、サーバから送られてくるデータ構造には、画面の種類、現在の画面のＩＤ、タイトル、各ボタンの情報（ボタン情報）を含む。ボタン情報は、ボタンを識別するためのＩＤ、名称、ボタンの説明、次画面を読み出すためのＩＤ（識別情報）、およびアイコンデータを含む。
【００４１】
なお、上述した例では、次画面の表示形態を示すためのアイコン情報は、外字フォントの文字コード（形態情報）であり、名称の先頭に埋めこまれている。そのため、イメージデータのデータが無い。アイコンを示すための文字コードが無い場合、イメージデータ（形態情報）が送られる。画面上に次画面の表示形態を示すためのアイコンを表示するために、アイコンを示すための文字コード、およびイメージデータの一方が送られる。
【００４２】
次ぎに、上述したボタン情報を用いて画面上のボタンエリアに表示を行う方法について、図６を参照して説明する。
【００４３】
先ず、制御部３０は、ボタン情報内にイメージデータが有るか判定する（ステップＳ１０１）。ボタン情報内にイメージデータがない場合（ステップＳ１０１のＮｏ）、アイコンを示すための情報は名称内に含まれている。よって、制御部３０は、ボタンエリア内にボタン情報の名称を表示するためのデータを表示制御部４３に供給する（ステップＳ１０２）。名称の先頭はアイコンを示す文字コードであるので、アイコンがボタンエリアの先頭に表示される。
【００４４】
ボタン情報内にイメージデータがある場合（ステップＳ１０１のＹｅｓ）、制御部３０は、ボタンエリア内の先頭にイメージデータに対応するイメージを表示し、イメージの後に名称を表示するように表示制御部に指示する（ステップＳ１０３）。イメージデータの場合もボタンエリアの先頭に表示される。従って、アイコンを示す情報が文字コード或いはイメージデータであっても、アイコンは常にボタンエリアの先頭に表示される。アイコンを示すための情報が文字コードおよびイメージデータにかかわらず常にボタンの先頭部分に表示されるので、ユーザは視線を動かさずに直感的に次画面の形態を認識することが出来る。
【００４５】
この処理をサーバから送られてきたボタン情報毎に行って、図２に示すおすすめメニューを表示する（ステップＳ１０４）。
【００４６】
（おすすめ番組表）
次ぎに、おすすめ番組表（おすすめリスト表）の表示について説明する。
【００４７】
図５に示す画面で登録ボタンＢ２を選択・決定操作し、登録することによって、おすすめサービスを受けることが出来る。登録ボタンを押すと、制御部３０が、ユーザが設定した録画および予約履歴をサーバＳに送信する。
【００４８】
サーバＳは受信したデータに基づいてユーザに対するおすすめ番組情報を作成する。作成された薦め番組情報は、サーバＳ内のおすすめ番組表情報格納部５２に格納される。
【００４９】
図２に示す画面状態でボタンＢ１を選択・決定操作を行うことによって、ビデオレコーダ１０は、サーバＳに格納されたおすすめ番組表情報格納部５２からデータをダウンロードし、画面上に“あなたのおすすめ”画面（図３）を表示する。
【００５０】
図３に示す“あなたのおすすめ”画面上の項目Ｃには推薦度を表すアイコンが表示されている。推薦度を表すアイコンが表示されているので、サーバが示したおすすめ番組の推薦度をユーザが直感的に分かることができる。
【００５１】
サーバからダウンロードされるデータの構造の一例を表２に示す。
【表２】
2006323544.tif 000004
【００５２】
表２に示すように、サーバから画面種類、番組リストを表示することを表す“ｌｔ”、画面のＩＤ、タイトル、サブタイトルが送信される。そして、リストに含まれる番組の情報（番組）として、推薦度、推薦度表示情報、番組名、放送局コード、放送日時、放送時間、ジャンルコードが送られる。
【００５３】
推薦度情報は、番組の推薦度を値で表したものである。ユーザの操作に応じて、制御部３０が推薦度情報の値に基づいてリストに含まれる番組を降順、または昇順に並べ替えることが出来る。制御部３０は、並べ替えた順序に応じて番組が表示されるように表示制御部４３にデータを供給する。また、並べ替えて表示することによって、おすすめ番組表が見やすくなる。
【００５４】
推薦度表示情報として、“おすすめメニューの一覧”の形態情報と同様に、外字フォントの文字コード、またはイメージデータが、サーバＳから送られる。
【００５５】
なお、番組毎に推薦度表示情報を送るのではなく、推薦度情報のランク毎に推薦度情報を送り、各番組の推薦度情報に基づいてアイコン表示を行っても良い。
【００５６】
また、各おすすめボタンの欄はリモコンＲの操作によって、選択・決定操作を行うことが可能である。図３に示される番組の一覧から何れかの番組をリモコンＲによって選択・決定することで、図７に示す予約画面が表示される。そして、この画面のボタンから番組の予約を行うことが出来る。
【００５７】
推薦度を表すアイコンを表示するための文字コード或いはイメージデータを変えることによって、番組推薦度合いの表現を推薦内容に応じて、表現方法を自由に変えることができる（例：有名アーチストのおすすめの場合、音符の数にする）。
【００５８】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５９】
【図１】本発明の一実施形態に係る信号処理装置と通信処理装置とのネットワークシステムの構成の例を示すブロック図。
【図２】本発明の一実施形態に係わるおすすめメニューの一覧の一例を示す図。
【図３】本発明の一実施形態に係わるメニュー表示画面の一例を示す図。
【図４】本発明の一実施形態に係わる番組のリスト表示画面の一例を示す図。
【図５】本発明の一実施形態に係わるお知らせ表示画面の一例を示す図。
【図６】おすすめメニューの一覧の表示方法を説明するための図。
【図７】図３の表示画面上でユーザによって指定された放送番組の録画予約を実行するための表示例を説明するための図。
【符号の説明】
【００６０】
１０…ビデオレコーダ，１１…通信部，１２…ＢＳ／ＣＳチューナ部，１３…地上波チューナ部，１６…入力側セレクタ部，１７…出力側セレクタ部，１８…ハードディスクドライブ部，１９…光ディスクドライブ部，２０…一時記憶部，２１…エンコーダ部，２３…デコーダ部，２４…音声映像処理部，２７…インターフェース部，３０…制御部，３２…操作部，３３…表示部，３４…タイマーマイコン部，４１…受像機，４２…メモリ，４３…表示制御部，５１…おすすめメニュー情報格納部，５２…おすすめ番組表情報格納部，５３…通信部
【図１】
2006323544.tif 000005
【図２】
2006323544.tif 000006
【図３】
2006323544.tif 000007
【図４】
2006323544.tif 000008
【図５】
2006323544.tif 000009
【図６】
2006323544.tif 000010
【図７】
2006323544.tif 000011